(57)【要約】【課題】故人が女性の場合に着せる着付けが容易な葬儀用ドレスを提供するものである。【解決手段】ドレスを、袖付の上着２とスカート６の上下２部式に形成し、前記上着２の後ろ身頃３の中央部に、左右に分離するスリット４を設け、このスリット４の両側に結びリボン５を取付けると共に、前記スカート６は１枚の布で巻きスカート状に形成して、その左右両端部に結びリボン５を取付けて、故人１６に上着２とスカート３を巻き付けてから結びリボン５で結んで、棺桶１７に安置するようにしたものである。【選択図】  図３
0003109611.tif 000002
【実用新案登録請求の範囲】
【請求項１】
ドレスを、袖付の上着とスカートの上下２部式に形成し、前記上着の後ろ身頃の中央部に、左右に分離するスリットを設け、このスリットの両側に結びリボンを取付けると共に、前記スカートは１枚の布で巻きスカート状に形成して、その左右両端部に結びリボンを取付けて、故人に上着とスカートを巻き付けてから結びリボンで結んで、棺桶に安置するようにしたことを特徴とする葬儀用ドレス。
【請求項２】
上着の襟と袖を分離して形成し、襟は１枚の布で形成して、この横方向に沿って結びリボンを通すと共に、袖も１枚の布で形成して、この上下部分に横方向に沿って結びリボンを通し、前記襟を故人の首に巻き付けて結びリボンで結ぶと共に、袖を故人の腕に巻き付けて結びリボンで結ぶようにしたことを特徴とする請求項１記載の葬儀用ドレス。
【考案の詳細な説明】
【技術分野】
【０００１】
本考案は、葬儀用ドレスに関するものである。
【背景技術】
【０００２】
一般に葬儀では、故人に白装束のじゅばんを着せて棺桶に安置している。しかしながら老若男女を問わず、故人に白装束のじゅばんを着せることがほとんどであり、若い女性の場合には、化粧をしても白装束のじゅばんは、さみしい感じを与えるものであった。このため故人が若い女性の場合には、ドレスを着せて奇麗に着飾って送りたいという遺族の希望があった。しかしながら故人に袖付のドレスを着せることは難しい問題があった。
【考案の開示】
【考案が解決しようとする課題】
【０００３】
本考案は上記問題点を改善し、故人が女性の場合に着せる着付けが容易な葬儀用ドレスを提供するものである。
【課題を解決するための手段】
【０００４】
本考案の請求項１記載の葬儀用ドレスは、ドレスを、袖付の上着とスカートの上下２部式に形成し、前記上着の後ろ身頃の中央部に、左右に分離するスリットを設け、このスリットの両側に結びリボンを取付けると共に、前記スカートは１枚の布で巻きスカート状に形成して、その左右両端部に結びリボンを取付けて、故人に上着とスカートを巻き付けてから結びリボンで結んで、棺桶に安置するようにしたことを特徴とするものである。
【０００５】
本考案の請求項２記載の葬儀用ドレスは、上着の襟と袖を分離して形成し、襟は１枚の布で形成して、この横方向に沿って結びリボンを通すと共に、袖も１枚の布で形成して、この上下部分に横方向に沿って結びリボンを通し、前記襟を故人の首に巻き付けて結びリボンで結ぶと共に、袖を故人の腕に巻き付けて結びリボンで結ぶようにしたことを特徴とするものである。
【考案の効果】
【０００６】
本考案に係る請求項１記載の葬儀用ドレスによれば、上着とスカートを分離構造とし、しかも前から巻き付けて結びリボンで結ぶので着付けが容易である。
【０００７】
また請求項２記載の葬儀用ドレスによれば、上着を身頃と襟、袖の分離構造としたので更に着付けが容易である。
【考案を実施するための最良の形態】
【０００８】
以下本考案の実施の一形態を図１ないし図３を参照して詳細に説明する。図１（Ａ）は葬儀用ドレス１の袖付の上着２を示すもので、図１（Ｂ）に示すように後ろ身頃３の中央部に、左右に分離するスリット４を設け、このスリット４の両側に結びリボン５を取付けたものである。
【０００９】
また図２（Ａ）は葬儀用ドレス１のスカート６を展開した状態を示すもので、上部の結びリボン５となるベルト７を、両側に長く延出して巻きスカート状に形成されている。このスカート６を下半身に巻き付けた状態は図２（Ｂ）に示すようになり、前面中央部でベルト７を結んでリボン８を形成するようになっている。
【００１０】
上記構成の上着２とスカート６の上下２部式に形成した葬儀用ドレス１は、図３に示すように故人１６の上半身に上着２を巻き付けて、背中側のスリット４の両側に取付けた結びリボン５を結んで着せる。次に下半身に巻きスカート状に形成されたスカート６を巻き付けて、結びリボン５となるベルト７を手前に引出してここでリボン８を結んで着せる。このように葬儀用ドレス１を着せてから棺桶１７に安置する。なお故人１６の体型が小さい場合には、図２（Ｂ）に仮想線で示すように上着２を巻き付けるように着せても良い。
【００１１】
次に上着２を身頃１０と襟１１、袖１２の分離構造とした本考案の他の実施の形態を図４ないし図５を参照して詳細に説明する。襟１１は図４（Ａ）に示すように上縁に波形を形成した長方形状の布１３の上縁に沿って帯状の結びリボン５を交互に通したもので、これを図４（Ｂ）に示すように首に巻いて結びリボン５を絞って結んでリボン８を形成するようにしたものである。
【００１２】
また身頃１０は図５（Ａ）に示すように前身頃１４の両側に右後ろ身頃３Ａ、左後ろ身頃３Ｂを一体に形成し、その両端に結びリボン５を取付けたもので、これを図５（Ｂ）に示すように上半身に巻き付けて背中側のスリット４の両側に取付けた結びリボン５を結んで着せるようになっている。
【００１３】
また袖１２は図６（Ａ）に示すように上縁を湾曲させた布１５の上縁に沿って帯状の結びリボン５を交互に通すと共に、下縁に沿って結びリボン５を交互に通したものである。これは図６（Ｂ）に示すように腕に巻いて上下の結びリボン５、５を絞って結んで、身頃１０の袖ぐり９に合わせる。
【００１４】
従って、上着２を身頃１０と襟１１、袖１２の分離構造としたので、図１に示す一体形の構造に比べて着付けが更に容易である。また葬儀用ドレス１は上記デザインのものに限らず、上着２とスカート６が分離した構造であれば他のデザインのものでも良い。
【図面の簡単な説明】
【００１５】
【図１】（Ａ）は本考案の実施の形態による上着の正面図、（Ｂ）はその背面図である。
【図２】（Ａ）は本考案の実施の形態によるスカートを展開した状態を示す正面図、（Ｂ）は巻き付けた状態を示す背面図である。
【図３】葬儀用ドレスを故人に着せて棺桶に安置した状態を示す平面図である。
【図４】（Ａ）は本考案の他の実施の形態による襟を展開した状態を示す正面図、（Ｂ）は首に巻付けた状態を示す正面図である。
【図５】（Ａ）は上着の身頃を展開した状態を示す背面図、（Ｂ）は上半身に巻付けた状態を示す正面図である。
【図６】（Ａ）は上着の袖を展開した状態を示す正面図、（Ｂ）は袖を腕に巻付けた状態を示す正面図である。
【符号の説明】
【００１６】
１    葬儀用ドレス                                          
２    上着                                                  
３    後ろ身頃３                                            
３Ａ  右後ろ身頃                                            
３Ｂ  左後ろ身頃                                            
４    スリット                                              
５    結びリボン                                            
６    スカート                                              
７    ベルト                                                
８    リボン                                                
９    袖ぐり                                                
１０  身頃                                                  
１１  襟                                                    
１２  袖                                                    
１３  長方形状の布                                          
１４  前身頃                                                
１５  上縁を湾曲させた布                                    
１６  故人    
１７  棺桶    
【図１】
0003109611.tif 000003
【図２】
0003109611.tif 000004
【図３】
0003109611.tif 000005
【図４】
0003109611.tif 000006
【図５】
0003109611.tif 000007
【図６】
0003109611.tif 000008